(57)【要約】球脊髄性筋萎縮症の病態を忠実に再現するモデル動物及びそれを用いたポリグルタミン病の治療薬のスクリーニング方法、並びに球脊髄性筋萎縮症の治療剤を提供する。症状又は病理所見について次の（１）〜（５）の特徴、即ち（１）進行性筋萎縮が認められること、（２）筋力低下が認められる、（３）抗ポリグルタミン抗体を用いた免疫染色によって核のびまん性染色及び核内封入体が認められる、（４）抗アンドロゲン受容体抗体を用いた免疫染色によって核のびまん性染色及び核内封入体が認められる、及び（５）神経原性変化が認められる、を備える非ヒト動物。当該非ヒト動物に被験物質を投与して症状又は病理所見の変化を調べることによりポリグルタミン病の治療薬をスクリーニングする。テストステロンの分泌を抑制する作用を有する化合物を有効成分として球脊髄性筋萎縮症治療剤を構成する。
2004016083.tif 000002
【特許請求の範囲】
【請求項１】
症状又は病理所見についての以下の（１）〜（５）の特徴を備える非ヒト動物、
（１）進行性筋萎縮が認められる、
（２）筋力低下が認められる、
（３）抗ポリグルタミン抗体を用いた免疫染色によって核のびまん性染色及び核内封入体が認められる、
（４）抗アンドロゲン受容体抗体を用いた免疫染色によって核のびまん性染色及び核内封入体が認められる、及び
（５）神経原性変化が認められる。
【請求項２】
雌である場合は前記（１）〜（５）が認められないか、又は雄である場合に比較して軽症ないし軽度である、請求の範囲第１項に記載の非ヒト動物。
【請求項３】
前記非ヒト動物が齧歯目動物である、ことを特徴とする請求の範囲第１項に記載の非ヒト動物。
【請求項４】
前記非ヒト動物がマウスである、ことを特徴とする請求の範囲第１項に記載の非ヒト動物。
【請求項５】
以下の工程（ａ）及び（ｂ）を含む、ポリグルタミン病治療剤のスクリーニング方法、
（ａ）請求の範囲第１項に記載の非ヒト動物に被験物質を投与する工程、
（ｂ）投与後の前記非ヒト動物において、次の（１）〜（９）の少なくとも一つについて改善されるか否かを調べる工程、
（１）進行性筋萎縮、
（２）筋力低下、
（３）抗ポリグルタミン抗体を用いた免疫染色によって認められる核のびまん性染色及び核内封入体の量、
（４）抗アンドロゲン受容体抗体を用いた免疫染色によって認められる核のびまん性染色及び核内封入体の量、
（５）神経原性変化、
（６）進行性運動障害、
（７）体格の縮小、
（８）寿命短縮、及び
（９）活動低下。
【請求項６】
以下の工程（Ａ）及び（Ｂ）を含む、ポリグルタミン病治療剤のスクリーニング方法、
（Ａ）請求の範囲第１項に記載の非ヒト動物及びその野生型にそれぞれ被験物質を投与する工程、
（Ｂ）投与後の前記非ヒト動物と前記野生型との間で、次の（１）〜（９）の少なくとも一つについての程度を比較評価する工程、
（１）進行性筋萎縮、
（２）筋力低下、
（３）抗ポリグルタミン抗体を用いた免疫染色によって認められる核のびまん性染色及び核内封入体の量、
（４）抗アンドロゲン受容体抗体を用いた免疫染色によって認められる核のびまん性染色及び核内封入体の量、
（５）神経原性変化、
（６）進行性運動障害、
（７）体格の縮小、
（８）寿命短縮、及び
（９）活動低下。
【請求項７】
前記被験物質が、テストステロンの分泌を抑制する作用を有する化合物の中から選択される、請求の範囲第５項に記載のスクリーニング方法。
【請求項８】
請求の範囲第５項に記載のスクリーニング方法によって選択される化合物を有効成分として含んでなるポリグルタミン病治療剤。
【請求項９】
テストステロンの分泌を抑制する作用を有する化合物を有効成分として含んでなる球脊髄性筋萎縮症治療剤。
【請求項１０】
下垂体からの性腺刺激ホルモンの分泌を抑制する作用を有する化合物を有効成分として含んでなる球脊髄性筋萎縮症治療剤。
【請求項１１】
下垂体に作用して黄体形成ホルモン放出ホルモン受容体を減少させる作用を有する化合物を有効成分として含んでなる球脊髄性筋萎縮症治療剤。
【請求項１２】
黄体形成ホルモン放出ホルモンのアナログを有効成分として含んでなる球脊髄性筋萎縮症治療剤。
【請求項１３】
リュープロレリン又はその誘導体を有効成分として含んでなる球脊髄性筋萎縮症治療剤。
【発明の詳細な説明】
【技術分野】  本発明は遺伝子の改変が施された非ヒト動物に関する。詳しくは球脊髄性筋萎縮症に特徴的な症状及び病理所見を呈する非ヒト動物及びその利用、並びに球脊髄性筋萎縮症の治療剤及び治療方法に関する。
【背景技術】  球脊髄性筋萎縮症（ＳＢＭＡ）は、伴性劣性遺伝形式を呈し、成人期に発症する緩徐進行性の下位運動ニューロン疾患である（Ｓｏｂｕｅ  ｅｔ  ａｌ．，１９８９；Ｋｅｎｎｅｄｙ  ｅｔ  ａｌ．，１９６８）。主症状は四肢近位部の筋力低下・筋萎縮と球麻痺であるが、深部感覚障害を主体とする感覚神経障害も認められる。随伴症状として、女性化乳房を高率に認めるほか、肝機能障害、耐糖能異常、高脂血症、高血圧症などがしばしばみられる。女性様皮膚、睾丸萎縮、不妊、陰萎を認めることもある。女性保因者は通常無症状だが、手指の振戦や、有痛性筋痙攣、軽度の血清ＣＫ値上昇などを認めることもある（Ｓｏｂｕｅ  ｅｔ  ａｌ．，１９９３）。根本的治療は存在せず、対症療法としてテストステロンが使用されることがあるが、効果は乏しく長期間の有効性は認められていない。
ＳＢＭＡの病態は脊髄前角細胞や顔面神経核、舌下神経核の変性、脱落であり、その原因はアンドロゲン受容体（ＡＲ）第１エクソン内のＣＡＧリピートの異常延長である（Ｌａ  Ｓｐａｄａ  ｅｔ  ａｌ．，１９９１）。ＡＲのＣＡＧリピート数は、正常では１２〜３４程度であるが患者では４０〜６２程度に延長している。このためＳＢＭＡは、ハンチントン病や脊髄小脳変性症などと並んで、ポリグルタミン病と呼ばれ、これらの疾患においては表現促進現象（ａｎｔｉｃｉｐａｔｉｏｎ）やＣＡＧリピート数のばらつき（体細胞モザイク）（Ｔａｎａｋａ  ｅｔ  ａｌ．，１９９９）、主に神経組織が選択的に障害されるという、共通の病態が観察される。また、他のポリグルタミン病と同様ＳＢＭＡにおいても、ＣＡＧリピート数は筋力低下の発症年齢と負の相関を示し、年齢補正した重症度とは正の相関を示す（Ｄｏｙｕ  ｅｔ  ａｌ．，１９９２）。
病理学的には、抗ポリグルタミン抗体および抗アンドロゲン受容体抗体で染色される核内封入体を、脊髄前角細胞や下位脳神経運動核、腎、精巣、皮膚などで認める（Ｌｉ  ｅｔ  ａｌ．，１９９８ａ；Ｌｉ  ｅｔ  ａｌ．，１９９８ｂ）。核内封入体はポリグルタミン病の病理学的特徴でもあり、病態に関与していると考えられている（Ｚｏｇｈｂｉ  ａｎｄ  Ｏｒｒ，２０００，Ｐａｕｌｓｏｎ，２０００）。しかし、ポリグルタミン病の病態生理における核内封入体の重要性についてはいまだ議論が絶えず、核内封入体はポリグルタミン鎖の毒性から神経細胞を保護する細胞側の防御メカニズムを反映しているとの見方もある。一方、殆どのポリグルタミン病において、ポリグルタミン鎖を含む変異タンパクの核内移行が病態形成に必要不可欠であることが、多くの研究により示唆されている（Ｋｌｅｍｅｎｔ  ｅｔ  ａｌ．，１９９８，Ｓａｕｄｏｕ  ｅｔ  ａｌ．，１９９８）。他のポリグルタミン病と異なりＳＢＭＡにおいては、特異的リガンドの影響で変異タンパクの細胞内分布が変化する点がユニークである。すなわち、ＳＢＭＡの原因タンパクであるＡＲは、通常細胞質に複合体として不活化された状態で存在しており、リガンドであるテストステロンと結合することで核内に移行することが知られている（Ｚｈｏｕ  ｅｔ  ａｌ．，１９９４）。
ポリグルタミン病の病態には、原因蛋白の機能障害も関わっている可能性があるが、ポリグルタミン鎖自体が持つ毒性、すなわちｔｏｘｉｃ  ｇａｉｎ  ｏｆ  ｆｕｎｃｔｉｏｎが主な病因であると考えられている（Ｚｏｇｈｂｉ  ａｎｄ  Ｏｒｒ，２０００，Ｒｕｂｉｎｓｚｔｅｉｎ  ２００２）。異常延長したポリグルタミンがＡＲの転写活性を低下させ、他の転写因子などとの結合を阻害することは培養細胞レベルで報告されているが（Ｍｈａｔｒｅ  ｅｔ  ａｌ．，１９９３，Ｋａｚｅｍｉ−Ｅｓｆａｒｊａｎｉ  ｅｔ  ａｌ．，１９９５，Ｃｈａｍｂｅｒｌａｉｎ  ｅｔ  ａｌ．，１９９４，Ｎａｋａｊｉｍａ  ｅｔ  ａｌ．，１９９６）、ＳＢＭＡにおける神経障害はＡＲの機能低下では説明困難である（Ｍａｃｌｅａｎ  ｅｔ  ａｌ．，１９９５，ＭｃＰｈａｕｌ  ｅｔ  ａｌ．，１９９３）。テストステロンを投与してもＳＢＭＡの症状が改善しないのは、こうした理由によるものと考えられる（Ｄａｎｅｋ  ｅｔ  ａｌ．，１９９４，Ｇｏｌｄｅｎｂｅｒｇ  ｅｔ  ａｌ．，１９９６，Ｎｅｕｓｃｈｍｉｄ−Ｋａｓｐａｒ  ｅｔ  ａｌ．，１９９６）。
現在、ポリグルタミン病に対しては効果的な治療戦略はない。マウスレベルでは、ハンチントン病の遺伝子導入（Ｔｇ）モデルにおいてｃａｓｐａｓｅ−１のｄｏｍｉｎａｎｔ−ｎｅｇａｔｉｖｅ変異が生存を延長し核内封入体の形成を抑制することが報告されている（Ｏｎａ  ｅｔ  ａｌ，，１９９９）。また、導入遺伝子の発現を抑制することで、症状や病理所見が可逆的に改善されることが、他のハンチントン病のＴｇモデルでは示されている（Ｙａｍａｍｏｔｏ  ｅｔ  ａｌ，，２０００）。しかし、こうした遺伝子の修飾は直接臨床応用することが困難である。一方、トランスグルタミナーゼ阻害剤がＤＲＰＬＡの細胞モデルにおいて凝集体形成やアポトーシスを抑制し（Ｉｇａｒａｓｈｉ  ｅｔ  ａｌ．，１９９８）、ハンチントン病のＴｇモデルでも生存を延長することが報告されている（Ｋａｒｐｕｊ  ｅｔ  ａｌ．，２００２）。またハンチントン病の細胞モデルでは特異抗体や小分子によるハンチンチンの凝集を抑制することが（Ｈｅｉｓｅｒ  ｅｔ  ａｌ．，２０００）、Ｔｇモデルではクレアチンが生存を延長し運動障害の発症を遅らせることも報告されている（Ａｎｄｒｅａｓｓｅｎ  ｅｔ  ａｌ．，２００１）。分子シャペロンであるＨＳＰ７０の過剰発現はＭａｃｈａｄｏ−Ｊｏｓｅｐｈ病のショウジョウバエモデル（Ｗａｒｒｉｃｋ  ｅｔ  ａｌ．，１９９９）やＳＣＡ１の細胞およびマウスモデルにおいて、障害の予防効果を示している（Ｃｕｍｍｉｎｇｓ  ｅｔ  ａｌ．，１９９８，Ｃｕｍｍｉｎｇｓ  ｅｔ  ａｌ．，２００１）。ＨＳＰ７０とＨＳＰ４０の組み合わせは、ＳＢＭＡの細胞モデルでも治療効果を発揮している（Ｋｏｂａｙａｓｈｉ  ｅｔ  ａｌ．，２０００）。しかしながら、これらの治療的アプローチは障害の予防・遅延に関してその効果は不十分であると言わざるを得ない。最近になり、ヒストン脱アセチル酵素阻害剤の効果がハンチントン病のショウジョウバエモデルで示され、今後ポリグルタミン病の治療として期待される（Ｓｔｅｆｆａｎ  ｅｔ  ａｌ．，２００１）が、マウスでの治療効果は未だ報告されていない。
一方ＳＢＭＡのモデルマウスの作出及びそれを用いた治療法の開発が試みられており、これまでにもいくつかの報告がなされている。ＳＢＭＡと同程度の４５又は６６ＣＡＧリピート、を有するヒトアンドロゲン受容体遺伝子（ＡＲ遺伝子）を導入したマウスでは表現型は認められなかったため（Ｂｉｎｇｈａｍ  ｅｔ  ａｌ．，１９９５，Ｌａ  Ｓｐａｄａ  ｅｔ  ａｌ．，１９９８，Ｍｅｒｒｙ  ｅｔ  ａｌ．，１９９６）、症状を有するマウスを得る目的でｔｒｕｎｃａｔｉｏｎされたＡＲ遺伝子や強力なプロモーターを有するＴｇマウスが開発された。ＡＲ遺伝子のプロモーター下で２３９ＣＡＧリピートのみを発現するマウス（Ａｄａｃｈｉ  ｅｔ  ａｌ．，２００１）および１１２ＣＡＧリピートを有するｔｒｕｎｃａｔｅｄ  ＡＲ遺伝子を導入したマウス（Ａｂｅｌ  ｅｔ  ａｌ．，２００１）では、歩行障害や体重減少、寿命短縮などの症状に加え、脊髄運動ニューロンなどに核内封入体が認められた。
先に述べた通り、ＳＢＭＡにおいては患者の殆どは男性であり、女性では遺伝子異常を有する保因者であっても症状が殆どみられないという、性差が著明である。しかし、これまで報告された、切断されたＡＲ遺伝子を導入したトランスジェニックマウスにおいては、このような症状の性差はみられていない（Ａｄａｃｈｉ  ｅｔ  ａｌ．，２００１，Ａｂｅｌ  ｅｔ  ａｌ．，２００１）。症状の性差が認められない理由は、これらのマウスにおける導入遺伝子が全長のものではなく、リガンド（テストステロン）の結合部位を有していないためと考えられる。全長のヒトＡＲを導入したＳＢＭＡのＴｇモデルは過去に１つだけ報告があり、運動障害を呈するとされているが、症状の性差などは報告されていない（Ｍｏｒｒｉｓｏｎ  ｅｔ  ａｌ．，２０００）。
【発明の開示】
以上の背景の下、本発明はポリグルタミン病（中でも特に球脊髄性筋萎縮症）の治療法の確立を最終目標とするものであって、その具体的な課題はヒト球脊髄性筋萎縮症の病態を忠実に再現するモデル動物を提供すること、当該モデル動物を用いたポリグルタミン病の治療剤のスクリーニング方法ないし評価方法を提供すること、並びにポリグルタミン病の治療剤及び治療方法を提供することである。
以上の課題に鑑みて鋭意検討を行ったところ、本発明者らはヒト球脊髄性筋萎縮症（ＳＢＭＡ）の病態を忠実に再現する遺伝子導入マウスの作製に成功した。即ち、まずその繰返し数が２４又は９７のＣＡＧリピート配列を有するヒトアンドロゲン受容体（ＡＲ）遺伝子を含むＤＮＡコンストラクトを用いて遺伝子導入マウス（Ｔｇマウス）の作製を試みた。得られたＴｇマウスにおいてその症状及び病理所見を検討したところ、繰返し数が９７のＣＡＧリピート配列を有するヒトＡＲを発現するＴｇマウスにおいてＳＢＭＡの病態が忠実に再現されていた。特に、従来報告されている各種のＳＢＭＡモデルマウスとは異なり、症状の性差が顕著であるというヒトＳＢＭＡの特徴が再現されていた。
次にこのＴｇマウスを用いて種々の実験を行ったところ、雄において去勢を行って生体内のテストステロン量を減少させることによりＳＢＭＡ様の症状及び病理所見が著しく改善することが判明し、これとは逆に雌においてテストステロンの投与を行えばＳＢＭＡ様の症状等の著しい悪化が引き起こされることが判明した。一方、下垂体の黄体形成ホルモン放出ホルモン（ＬＨＲＨ）受容体を減少させ、下垂体からの性腺刺激ホルモン（ＬＨやＦＳＨなど）の分泌を抑制し、それによってテストステロン分泌を抑制する作用を有するＬＨＲＨアナログを雄Ｔｇマウスに投与してその効果を観察したところ、去勢した場合と同様に症状の著明な改善が認められた。これらの事実から、生体内のテストステロン濃度を低下させることがＳＢＭＡの治療に有効な手段となるとの知見が得られた。
本発明は以上の検討の結果に基づいて完成されたものであって、次の各構成を提供する。
［１］  症状又は病理所見についての以下の（１）〜（５）の特徴を備える非ヒト動物、
（１）進行性筋萎縮が認められる、
（２）筋力低下が認められる、
（３）抗ポリグルタミン抗体を用いた免疫染色によって核のびまん性染色及び核内封入体が認められる、
（４）抗アンドロゲン受容体抗体を用いた免疫染色によって核のびまん性染色及び核内封入体が認められる、及び
（５）神経原性変化が認められる。
［２］  雌である場合は前記（１）〜（５）が認められないか、又は雄である場合に比較して軽症ないし軽度である、［１］に記載の非ヒト動物。
［３］  前記非ヒト動物が齧歯目動物である、ことを特徴とする［１］又は［２］に記載の非ヒト動物。
［４］  前記非ヒト動物がマウスである、ことを特徴とする［１］又は［２］に記載の非ヒト動物。
［５］  以下の工程（ａ）及び（ｂ）を含む、ポリグルタミン病治療剤のスクリーニング方法、
（ａ）［１］〜［４］のいずれかに記載の非ヒト動物に被験物質を投与する工程、
（ｂ）投与後の前記非ヒト動物において、次の（１）〜（９）の少なくとも一つについて改善されるか否かを調べる工程、
（１）進行性筋萎縮、
（２）筋力低下、
（３）抗ポリグルタミン抗体を用いた免疫染色によって認められる核のびまん性染色及び核内封入体の量、
（４）抗アンドロゲン受容体抗体を用いた免疫染色によって認められる核のびまん性染色及び核内封入体の量、
（５）神経原性変化、
（６）進行性運動障害、
（７）体格の縮小、
（８）寿命短縮、及び
（９）活動低下。
［６］  以下の工程（Ａ）及び（Ｂ）を含む、ポリグルタミン病治療剤のスクリーニング方法、
（Ａ）［１］〜［４］のいずれかに記載の非ヒト動物及びその野生型にそれぞれ被験物質を投与する工程、
（ｂ）投与後の前記非ヒト動物と前記野生型との間で、次の（１）〜（９）の少なくとも一つについての程度を比較評価する工程、
（１）進行性筋萎縮、
（２）筋力低下、
（３）抗ポリグルタミン抗体を用いた免疫染色によって認められる核のびまん性染色及び核内封入体の量、
（４）抗アンドロゲン受容体抗体を用いた免疫染色によって認められる核のびまん性染色及び核内封入体の量、
（５）神経原性変化、
（６）進行性運動障害、
（７）体格の縮小、
（８）寿命短縮、及び
（９）活動低下。
［７］  前記被験物質が、テストステロンの分泌を抑制する作用を有する化合物の中から選択される、［５］又は［６］に記載のスクリーニング方法。
［８］  ［５］〜［７］のいずれかに記載のスクリーニング方法によって選択される化合物を有効成分として含んでなるポリグルタミン病治療剤。
［９］  テストステロンの分泌を抑制する作用を有する化合物を有効成分として含んでなる球脊髄性筋萎縮症治療剤。
［１０］  下垂体からの性腺刺激ホルモンの分泌を抑制する作用を有する化合物を有効成分として含んでなる球脊髄性筋萎縮症治療剤。
［１１］  下垂体に作用して黄体形成ホルモン放出ホルモン受容体を減少させる作用を有する化合物を有効成分として含んでなる球脊髄性筋萎縮症治療剤。
［１２］  黄体形成ホルモン放出ホルモンのアナログを有効成分として含んでなる球脊髄性筋萎縮症治療剤。
［１３］  リュープロレリン又はその誘導体を有効成分として含んでなる球脊髄性筋萎縮症治療剤。
【図面の簡単な説明】  図１は実施例において使用したＤＮＡコンストラクトの模式的構造、Ｔｇマウスの症状についての実験結果をまとめたグラフ、及び導入遺伝子の発現についての実験結果をまとめたグラフを示した図である。Ａは導入用ＤＮＡコンストラクトの構造を模式的に示す。ＤＮＡコンストラクトはサイトメガロウイルスエンハンサー（Ｅ）、チキンβアクチンプロモーター（Ｐｒｏ）、繰返し数が２４又は９７のＣＡＧリピートを有するヒトＡＲ遺伝子、およびラビットβグロビンのポリアデニル化シグナル配列（ｐｏｌｙＡ）からなる。Ｂ、Ｃ、Ｄ、及びＥではＴｇマウスの症状についての性差が示される。体重（Ｂ、＃２−６）、ｒｏｔａｒｏｄ  ｔａｓｋ（Ｃ、＃７−８）、ｃａｇｅ  ａｃｔｉｖｉｔｙ（Ｄ、＃２−６）、累積生存曲線（Ｅ、＃７−８）のいずれにおいても、雄（●、ｎ＝８）は優位に雌（○、ｎ＝８）よりも重篤であった（それぞれｐ＝０．００１，ｐ＝０．００３，ｐ＝０．００５，ｐ＝０．００１）。ＦはＡＲ−９７Ｑ、ＡＲ−２４Ｑおよび正常マウス（１２週齢）の雄（Ｍ）と雌（Ｆ）から得られた筋のｔｏｔａｌ  ｈｏｍｏｇｅｎａｔｅを用い、ＡＲに対する抗体（Ｎ−２０）で行ったウエスタンブロットを示す。マウス内在性のＡＲはほとんど検出されなかった。正常マウスと比較すると、低分子量のバンドのほとんどが切断された変異ＡＲであることがわかる。２４ＣＡＧリピート及び９７ＣＡＧリピートを有するＡＲを導入したＮｅｕｒｏ２ａ細胞から抽出した蛋白（ＡＲ２４及びＡＲ９７）を比較のために示してある。ＧはＡＲ−９７Ｑマウスの雄（Ｍ）と雌（Ｆ）から得た筋を核分画（Ｎ）と細胞質分画（Ｃｙ）とに分けてウエスタンブロットを行った結果を示す（＃７−８、１４週齢）。抗体はＮ−２０を用いた。
図２はＴｇマウスの病理所見についてまとめた図である。ＡはＡＲ−９７Ｑマウスの雄雌を延長ポリグルタミン鎖に対する特異的抗体（１Ｃ２）で免疫染色した結果を示す（＃７−８、１４週齢）。Ｂ、Ｃ、Ｄ、及びＥは脊髄運動ニューロンの１Ｃ２免疫染色の電子顕微鏡所見を示す（＃４−６、２４週齢）。光学顕微鏡下で核内封入体を示したニューロンでは高密度の顆粒状凝集体を認めた（Ｂ：低倍率、Ｃ：高倍率）。別のニューロン（Ｄ、矢印）では、光学顕微鏡下では核のびまん性染色がみられ、電顕では微細凝集体が認められた（Ｅ）。雄のＡＲ−９７Ｑマウスの筋Ｈ．Ｅ．染色（Ｆ）では、群集萎縮と小角化線維が明らかであった。Ｇは雄のＡＲ−９７Ｑマウスおよび正常マウスの第５腰髄前根のトルイジンブルー染色および前根有髄線維径のヒストグラムを示す。雄ＡＲ−９７Ｑマウス（■，ｎ＝３）では、正常マウス（□，ｎ＝３）に比べ、大径線維の軸索萎縮が認められた（＃７−８、１３週齢）。
図３は雄ＡＲ−９７Ｑマウスの症状に対する去勢の効果を示す図である。Ａ、Ｂ、Ｃ、及びＤは去勢マウスと対照群（ｓｈａｍ  ｏｐｅｒａｔｉｏｎ群）の体重（Ａ、＃７−８）、ｒｏｔａｒｏｄ  ｔａｓｋ（Ｂ、＃７−８）、ｃａｇｅ  ａｃｔｉｖｉｔｙ（Ｃ、＃７−８）および累積生存曲線（Ｄ、＃２−６）を示す。すべての観察項目において、去勢ＡＲ−９７Ｑマウス（●、ｎ＝６）および去勢した正常マウス（■、ｎ＝２）と、対照群（○、ｎ＝６）との差は有意であった（それぞれｐ＝０．０００１、ｐ＜０．０００１、ｐ＝０．００６、ｐ＝０．０００６）。去勢したＡＲ−９７Ｑマウス（Ｅ、上）の体格は正常であったが、対照群（Ｅ、下）では著しい筋萎縮が認められた（＃２−６、１２週齢）。Ｆは１２週齢の去勢ＡＲ−９７Ｑマウス（Ｃ）および対照群（Ｓ）の足跡を示す（＃２−６）。前脚は赤、後脚は青で着色してある。
図４は雄ＡＲ−９７Ｑマウスの導入遺伝子発現および病理所見に対する去勢の効果を示す図である。Ａは去勢ＡＲ−９７Ｑマウス（Ｃ）および対照群（Ｓ）の脊髄および筋のｔｏｔａｌ  ｈｏｍｏｇｅｎａｔｅを用いたウエスタンブロットの結果である（＃７−８、１３週齢）。抗体はＮ−２０を使用した。Ｂは去勢ＡＲ−９７Ｑマウス（Ｃ）および対照群（Ｓ）の筋の核分画（Ｎ）および細胞質分画（Ｃｙ）のウエスタンブロットの結果である（＃７−８、１３週齢）。抗体はＮ−２０を使用した。１Ｃ２を用いた脊髄と筋の免疫染色でみられた核のびまん性染色や核内封入体は、去勢ＡＲ−９７Ｑマウスと対照群との間で著しい差が認められた（Ｃ）。
図５は雄ＡＲ−９７Ｑマウスの症状に対するＬｅｕｐｒｏｒｅｌｉｎの効果を示す図である。Ａ、Ｂ、Ｃ、及びＤはＬｅｕｐｒｏｒｅｌｉｎ投与群と対照群（ｖｅｈｉｃｌｅ投与群）の体重（Ａ、＃７−８）、ｒｏｔａｒｏｄ  ｔａｓｋ（Ｂ、＃７−８）、ｃａｇｅ  ａｃｔｉｖｉｔｙ（Ｃ、＃７−８）および累積生存曲線（Ｄ、＃７−８）を示す。すべての観察項目において、Ｌｅｕｐｒｏｒｅｌｉｎ投与群（●、ｎ＝６）と対照群（○、ｎ＝６）との差は有意であった。Ｌｅｕｐｒｏｒｅｌｉｎ投与群（Ｅ、上）の体格は正常であったが、対照群（Ｅ、下）では著しい筋萎縮が認められた（＃４−６、１２週齢）。Ｆは１２週齢のＬｅｕｐｒｏｒｅｌｉｎ投与群（Ｌ）および対照群（Ｖ）の足跡を示す（＃４−６）。前脚は赤、後脚は青で着色してある。
図６は雌ＡＲ−９７Ｑマウスの症状に対するテストステロンの効果を示す図である。Ａ、Ｂ、Ｃ、及びＤはテストステロン投与群と対照群（オイル投与群）の体重（Ａ、＃７−８）、ｒｏｔａｒｏｄ  ｔａｓｋ（Ｂ、＃７−８）、ｃａｇｅ  ａｃｔｉｖｉｔｙ（Ｃ、＃２−６）および累積生存曲線（Ｄ、＃７−８）を示す。すべての観察項目において、テストステロン投与群（●、ｎ＝６）およびテストステロンを投与した正常マウス（■、ｎ＝４）と、対照群（○、ｎ＝６）との差は有意であった（ｐ＜０．０００１）。テストステロン投与群（Ｅ、上）では著しい筋萎縮が認められたが、対照群（Ｅ、下）の体格は正常であった（＃２−６、１４週齢）。Ｆは１４週齢のテストステロン投与群（Ｔ）および対照群（Ｏ）の足跡を示す（＃２−６）。前脚は赤、後脚は青で着色してある。
図７は雄ＡＲ−９７Ｑマウスの導入遺伝子発現および病理所見に対するテストステロンの効果を示す図である。Ａはテストステロン投与群（Ｔ）および対照群（Ｏ）の脊髄および筋のｔｏｔａｌ  ｈｏｍｏｇｅｎａｔｅを用いたウエスタンブロットの結果である（＃２−６、１２週齢）。抗体はＮ−２０を使用した。Ｂはテストステロン投与群（Ｔ）および対照群（Ｏ）の筋の核分画（Ｎ）および細胞質分画（Ｃｙ）のウエスタンブロットの結果である（＃２−６、１２週齢）。抗体はＮ−２０を使用した。１Ｃ２を用いた脊髄と筋の免疫染色でみられた核のびまん性染色や核内封入体は、テストステロン投与群と対照群との間で著しい差が認められた（Ｃ）。
図８は実施例で作製したＴｇマウスの表現型をまとめた表である。各データは雄／雌で表示した。表中の−は検出されず、＋は軽度のびまん性核染色及び核内封入体を検出、＋＋は高度のびまん性核染色及び核内封入体を検出、及びＮＤはデータなし、をそれぞれ表す。
図９は１Ｃ２抗体を用いた実験結果をまとめた表である。表中の−は検出されず、＋は軽度の検出、＋＋は中等度の検出、＋＋＋は高度の検出、をそれぞれ表す。所見が系統によって異なる場合は「〜」により程度の範囲を示した。マウス３系統、＃２−６、＃４−６、及び＃７−８はそれぞれ１２、１８、及び１５周齢で病理解析を行った。
【発明を実施するための最良の形態】  本発明の第１の局面は、以下の症状及び病理所見が認められるという特徴を少なくとも備えた非ヒト動物を提供する。
症状としては、（１）進行性筋萎縮、及び（２）筋力低下である。典型的にはこれらの症状の結果として或はこれらの症状に関連して進行性の運動障害、体格の縮小、寿命短縮、活動低下などの症状も認められる。ここで進行性筋萎縮の有無やその程度については、例えば後脚などの特定の部位を肉眼で観察して経時的な変化を調べることにより確認することができる。一方、筋力低下の有無やその程度については、例えば運動障害の有無やその程度から或は活動低下の有無やその程度から間接的に確認することができる。尚、運動障害の有無やその程度は例えばＲｏｔａｒｏｄ  ｔａｓｋテスト（Ｃｒａｗｌｅｙ  ＪＮ．Ｗｈａｔ’ｓ  ｗｒｏｎｇ  ｗｉｔｈ  ｍｙ  ｍｏｕｓｅ．Ｗｉｌｅｙ−Ｌｉｓｓ，Ｎｅｗ  Ｙｏｒｋ，Ｐｐ４８−５２．）によって、また活動低下の有無やその程度は例えばＣａｇｅ  ａｃｔｉｖｉｔｙテスト（Ｃｒａｗｌｅｙ  ＪＮ．Ｗｈａｔ’ｓ  ｗｒｏｎｇ  ｗｉｔｈ  ｍｙ  ｍｏｕｓｅ．Ｗｉｌｅｙ−Ｌｉｓｓ，Ｎｅｗ  Ｙｏｒｋ，Ｐｐ４８−５２．）によってそれぞれ確認することができる。その他の症状については、体格の縮小であれば肉眼的観察又は体重の測定などによって、寿命短縮であれば累積生存数を調べることなどよってそれぞれ確認することができる。
本発明の非ヒト動物の更なる特徴の一つは、症状についての性差が顕著であることである。即ち、上記の各症状は雄である場合に重篤かつ急速に進行する一方で、雌の場合には症状が認められないか又は認められたとしても雄の場合に比較して軽症である。このような性差と関連した症状の相違は球脊髄性筋萎縮症に特異的な特徴であり、このような特徴を備える点において本発明の非ヒト動物は球脊髄性筋萎縮症のモデル動物として極めて有用であるといえる。
本発明の非ヒト動物では、典型的には初期症状として体幹及び後脚の筋萎縮が観察される。また、典型的にはこの初期症状に続いて体重減少や運動機能低下が認められる。
本発明の非ヒト動物に認められる病理所見は次の（３）〜（５）である。（３）抗ポリグルタミン抗体を用いた免疫染色によって核のびまん性染色及び核内封入体が認められる。（４）抗アンドロゲン受容体抗体を用いた免疫染色によって核のびまん性染色及び核内封入体が認められる。（５）神経原性変化が認められる。ここでの免疫染色は例えば脊髄、大脳、小脳などの神経細胞や筋肉、心臓、膵臓などの非神経組織細胞に対して行うことができる。本発明の非ヒト動物では、典型的にはこれらの核のびまん性染色及び核内封入体の存在が約４周齢から認められ、加齢とともにそれらの量は増大する。尚、電子顕微鏡下の観察によれば上記のびまん性染色及び核内封入体にそれぞれ対応する顆粒状凝集体及び微細凝集体を認めることができる。
神経原性変化は筋組織のＨＥ（ヘマトキシリン−エオシン）染色像を観察すること等によって確認することができる。ここでの神経原性変化は、典型的には群集萎縮と小角化繊維の発生である。
本発明の非ヒト動物では、上述の症状の場合と同様に病理所見についても性によって顕著に異なる。即ち上掲の各病理所見は雄の場合に顕著に認められ、典型的には雌では特に神経原性変化が認められない。
本発明における非ヒト動物にはマウス、ラット等の齧歯目動物が含まれるがこれらに限定されるものではない。本発明の非ヒト動物はその発生段階で特定の遺伝子を染色体に組込むことにより遺伝子導入動物として作製される。遺伝子導入動物の作製方法としては、受精卵の前核に直接ＤＮＡの注入を行うマイクロインジェクション法、レトロウイルスベクターを利用する方法、ＥＳ細胞を利用する方法などを用いることができる。以下では、本発明の非ヒト動物の作製方法として、マウスを用いたマイクロインジェクション法を具体例として説明する。
マイクロインジェクション法では、まず交尾が確認された雌マウスの卵管より受精卵を採取し、そして培養した後にその前核に所望のＤＮＡコンストラクトの注入を行う。ＤＮＡコンストラクトとしては多数のＣＡＧリピートを含むヒトアンドロゲン受容体（以下、「ＡＲ」ともいう）遺伝子の全長をコードする配列（以下、「導入遺伝子」という）を含むものが使用される。ここでＣＡＧリピートの繰返し数は作製されるトランスジェニックマウスがＳＢＭＡの特徴を忠実に再現できるのに十分である必要があり、一般にＳＢＭＡ患者におけるＣＡＧリピートの繰返し数が４０以上であることを考慮すれば、少なくとも４０、好ましくは７０以上、更に好ましくは８０以上、更に更に好ましくは９０以上にすることが好ましい。使用するＤＮＡコンストラクトには導入遺伝子の効率的な発現を可能とするプロモーター配列が含まれていることが好ましい。このようなプロモーターとしては例えばチキンβ−アクチンプロモータ、プリオン蛋白プロモーター、ヒトＡＲプロモーター、ニューロフィラメントＬ鎖プロモーター、Ｌ７プロモーター、サイトメガロウイルスプロモーターなどを用いることができる。
注入操作を終了した受精卵を偽妊娠マウスの卵管に移植し、移植後のマウスを所定期間飼育して仔マウス（ＦＯ）を得る。仔マウスの染色体に導入遺伝子が適切に組込まれていることを確認するために、仔マウスの尾などからＤＮＡを抽出し、導入遺伝子に特異的なプライマーを用いたＰＣＲ法や導入遺伝子に特異的なプローブを用いたドットハイブリダイゼーション法等を行う。
本発明の非ヒト動物は上述の通り球脊髄性筋萎縮症の特徴を忠実に再現しているがその特徴の多くはポリグルタミン病に共通する。従って本発明の非ヒト動物は球脊髄性筋萎縮症のモデルとしてのみならず、広くポリグルタミン病のモデルとして有用であると考えられる。そこで本発明の第２の局面は、以下に示すように、本発明の非ヒト動物を用いたポリグルタミン病治療剤のスクリーニング方法を提供する。
本発明のスクリーニング方法は、（ａ）上記本発明の非ヒト動物に被験物質を投与する工程と、（ｂ）投与後の前記非ヒト動物において、ポリグルタミン病に特徴的な症状又は病理所見が改善されるか否かを調べる工程とを含む。この（ｂ）の工程において検査対象となる症状等の改善が認められれば被験物質はポリグルタミン病の治療剤の有力な候補であると判定される。
尚、本明細書において「ポリグルタミン病治療剤」とは、ポリグルタミン病を発症している患者に対してその症状の改善などを目的として使用される薬剤はもとより、ポリグルタミン病を発症するおそれのある者に対して予防的に使用される薬剤をも含む用語として用いられる。また本明細書において「ポリグルタミン病」とは、遺伝子のコード領域においてＣＡＧリピートの伸長が認められる疾患の総称であって、ハンチントン病、脊髄小脳変性症、球脊髄性筋萎縮症などがこれに分類される。ポリグルタミン病の患者には表現促進現象（ａｎｔｉｃｉｐａｔｉｏｎ）やＣＡＧリピート数のばらつき（体細胞モザイク）、主に神経組織が選択的に障害されるという共通の病態が観察される。
工程（ａ）における被験物質の投与方法としては経口投与や静脈内、動脈内、皮下、筋肉、又は腹腔内注射等を例示することができる。
被験物質としてはペプチド、非ペプチド性低分子化合物、タンパク質、糖タンパク質、脂質、糖脂質、糖等を用いることができる。これらは自然界に存在する天然のものであっても或は合成したものであってもよい。その他、ヒト細胞又は非ヒト動物細胞等の抽出液又は培養上清などを被験物質として用いてもよい。
ポリグルタミン病の中でも球脊髄性筋萎縮症の治療薬をスクリーニングする場合には、テストステロンの分泌を抑制する作用を有する化合物の中から被験物質を選択することが好ましい。効率的なスクリーニングが可能となるからである。このような化合物としては、例えば下垂体からの性腺刺激ホルモンの分泌を抑制する作用を有するもの（例えば下垂体に作用して黄体形成ホルモン放出ホルモン受容体を減少させる作用を有する化合物）を用いることができる。さらに具体的な被験物質としては、黄体形成ホルモン放出ホルモンのアナログ又はその誘導体を例示することができる。
工程（ｂ）におけるポリグルタミン病に特徴的な症状又は病理所見とは例えば（１）進行性筋萎縮、（２）筋力低下、（３）抗ポリグルタミン抗体を用いた免疫染色によって認められる核のびまん性染色及び核内封入体の量、（４）抗アンドロゲン受容体抗体を用いた免疫染色によって認められる核のびまん性染色及び核内封入体の量、（５）神経原性変化、（６）進行性運動障害、（７）体格の縮小、（８）寿命短縮、及び（９）活動低下であって、工程（ｂ）ではこれらの中から少なくとも一つについてその変化が調べられる。複数の症状等について調べる場合にはその組合わせは任意であって、例えば（１）と（２）の組合わせ、（１）、（２）及び（３）の組合わせ、（１）、（２）、（３）及び（４）の組合わせ、（１）、（２）、及び（５）の組合わせ、（３）、（４）、（９）の組合わせなどを採用できる。一般的には改善される症状等が多くなればそれだけ被験物質の有効性が高まると考えられることから、工程（ｂ）において上掲の症状等についてより多くのものを調べることが好ましい。但し、二つの症状等の間で一定以上の相関が認められる場合には、いずれかの症状等のみを調べることとしてもよい。
本発明の非ヒト動物に被験物質を投与するのに並行して野生型の非ヒト動物にも被験物質を投与し、投与後の両者との間でポリグルタミン病に特徴的な症状等の程度を比較、評価することが好ましい。このように野生型を比較対照として用いることにより、各被験物質の有効性の比較を容易且つ正確に行うことが可能となる。
本発明のスクリーニング方法によって選択された化合物はポリグルタミン病に対する治療剤として使用できる可能性を十分に期待できる。選択された化合物がポリグルタミン病に対して十分な薬効を有する場合にはそのまま薬剤の有効成分として使用することができる。一方で十分な薬効を有しない場合には化学的修飾などの改変を施してその薬効を高めた上で薬剤の有効成分としての使用に供することができる。勿論、十分な薬効を有する場合であっても、更なる薬効の増大を目的として同様の改変を施してもよい。
本発明の第３の局面は球脊髄性筋萎縮症に対する薬剤に関し、テストステロンの分泌を抑制する作用を有する化合物を含んで構成される。ここでのテストステロンの分泌抑制作用は本発明の薬剤を投与した結果として奏されればよく、本発明の薬剤が直接的に当該作用を有しなくともよい。従って本発明の薬剤は、例えば下垂体からの性腺刺激ホルモンの分泌を抑え、その結果として性腺刺激ホルモンによるテストステロンの放出が抑制され、もってテストステロンの分泌量が減少するように作用する成分を含むものであってもよい。このような成分としては例えば下垂体に作用して黄体形成ホルモン放出ホルモン（以下、「ＬＨＲＨ」ともいう）受容体の発現量を低下させる作用をするものを例示することができる。例えばＬＨＲＨアナログはそれによる持続的な刺激によって下垂体のＬＨＲＨ受容体量を減少させることができる。従って、本発明における有効成分としてＬＨＲＨアナログを使用することができる。ＬＨＲＨアナログとしては例えばリュープロレリン、ゴセレリン、ブセレリン、及びナファレリン等を使用することが可能であるが、これらに限定されるものではない。尚、リュープロレリンについては医薬品名「リュープリン（登録商標）」（有効成分の一般名：酢酸リュープロレリン）として武田薬品工業株式会社より販売されている。同様にゴセレリンについては医薬品名「ゾラデックス（登録商標）」（有効成分の一般名；酢酸ゴセレリン）としてアストラゼネカ株式会社より販売されている。同様にブセレリンについては医薬品名「スプレキュア（登録商標）」（有効成分の一般名称：酢酸ブセレリン）としてアベンティスファーマ株式会社より販売されている。同様にナファレリンについては医薬品名「ナサニール」（有効成分の一般名称：酢酸ナファレリン）として日本モンサント株式会社より販売されている。
尚、ＬＨＲＨアナログにその作用を損なわない程度に（作用を高める場合を含む）改変を施した各種誘導体を本発明の有効成分として用いることもできる。
本発明の薬剤の製剤化は常法に従って行うことができる。製剤化する場合には、製剤上許容される他の成分（例えば、担体、賦形剤、崩壊剤、緩衝剤、乳化剤、懸濁剤、無痛化剤、安定剤、保存剤、防腐剤、生理食塩水など）を含有させることができる。賦形剤としては乳糖、デンプン、ソルビトール、Ｄ−マンニトール、白糖等を用いることができる。崩壊剤としてはデンプン、カルボキシメチルセルロース、炭酸カルシウム等を用いることができる。緩衝剤としてはリン酸塩、クエン酸塩、酢酸塩等を用いることができる。乳化剤としてはアラビアゴム、アルギン酸ナトリウム、トラガント等を用いることができる。懸濁剤としてはモノステアリン酸グリセリン、モノステアリン酸アルミニウム、メチルセルロース、カルボキシメチルセルロース、ヒドロキシメチルセルロース、ラウリル硫酸ナトリウム等を用いることができる。無痛化剤としてはベンジルアルコール、クロロブタノール、ソルビトール等を用いることができる。安定剤としてはプロピレングリコール、ジエチリン亜硫酸塩、アスコルビン酸等を用いることができる。保存剤としてはフェノール、塩化ベンザルコニウム、ベンジルアルコール、クロロブタノール、メチルパラベン等を用いることができる。防腐剤としては塩化ベンザルコニウム、パラオキシ安息香酸、クロロブタノール等と用いることができる。
製剤化する場合の形態も特に限定されず、例えば錠剤、散剤、細粒剤、顆粒剤、カプセル剤、シロップ剤、注射剤、外用剤、及び座剤などとして調製できる。
このように製剤化した本発明の治療様薬剤はその形態に応じて、経口投与又は非経口投与（静脈内、動脈内、皮下、筋肉、腹腔内注射など）によって患者に適用することができる。
本発明の更なる他の局面では以上の薬剤を利用した球脊髄性筋萎縮症の治療方法が提供される。本発明の治療方法は、テストステロンの分泌を抑制する作用を有する化合物を有効成分として含む薬剤を生体に投与するステップを含む。上述のようにここでの「テストステロンの分泌を抑制する作用を有する化合物」とは、例えば下垂体からの性腺刺激ホルモンの分泌を抑制する作用を有する化合物（例えば下垂体に作用してＬＨＲＨ受容体量を減少させる化合物）であり、具体例としてはＬＨＲＨアナログとして知られるリュープロレリン、ゴセレリン、ブセレリン、及びナファレリン等、或はこれらの誘導体を挙げることができる。
薬剤の投与量は症状、患者の年齢、性別、及び体重などによって異なるが、当業者であれば適宜適当な投与量を設定することが可能である。例えば薬剤としてリュープロレリンを有効成分として含むものを用いる場合には、成人を対象として一日当たりのリュープロレリン量が約１．５ｍｇ〜約４．０ｍｇ（例えば３．０ｍｇ又は３．５ｍｇ）となるように４週毎に投与することができる。
【実施例】  以下の実施例における各実験方法は特に記載しない限り次の通りとした。
（導入遺伝子（ｔｒａｎｓｇｅｎｅ））
チキンβ−アクチンプロモーター調節下に繰返し数２４のＣＡＧリピート（２４ＣＡＧ）又は繰返し数９７のＣＡＧリピート（９７ＣＡＧ）を有するヒトＡＲ遺伝子（順に配列番号１、及び配列番号２）を組み込んだ導入用ＤＮＡコンストラクト（図１Ａを参照）を以下のように作製した。ｐＣＡＧＧＳベクター（Ｎｉｗａ  ｅｔ  ａｌ．，１９９１）を制限酵素ＨｉｎｄＩＩＩで処理し、ｆｉｌＩ  ｉｎの後に接合することで、新たにＮｈｅＩ処理可能部位を作製し（ｐＣＡＧＧＳ−ＮｈｅＩ）、２４ＣＡＧないし９７ＣＡＧを有する全長のヒトＡＲ遺伝子（Ｋｏｂａｙａｓｈｉ  ｅｔ  ａｌ．，１９９８）をこのｐＣＡＧＧＳ−ＮｈｅＩにサブクローニングした。５．３ｋｂ及び５．５ｋｂ挿入配列において、直接ＤＮＡシークエンス法によって２４ＣＡＧリピート及び９７ＣＡＧリピートを確認した。
（Ｔｇマウスの作製と維持）
プラスミドをＳａｌＩ−ＮｈｅＩで処理し、ＡＲ断片を切り出した。この断片をＢＤＦ１受精卵（日本エスエルシー、静岡、日本）に注入（ｍｉｃｒｏｉｎｊｅｃｔｉｏｎ）し、３匹のＡＲ−２４Ｑおよび５匹のＡＲ−９７Ｑマウスを得た。これらＦＯマウスをＣ５７ＢＬ／６Ｊ（日本エスエルシー、静岡、日本）に交配することで維持を行った。導入遺伝子の存在はマウス尾組織から抽出したＤＮＡをＰＣＲにかけてスクリーニングした。この際用いたプライマーは５’−ＣＴＴＣＴＧＧＣＧＴＧＴＧＡＣＣＧＧＣＧ−３’（配列番号３）および５’−ＴＧＡＧＣＴＴＧＧＣＴＧＡＡＴＣＴＴＣＣ−３’（配列番号４）であり、ＣＡＧ繰り返し数の確認には５’−ＣＣＡＧＡＧＣＧＴＧＣＧＣＧＡＡＧＴＧ−３’（配列番号５）と５’−ＴＧＴＧＡＡＧＧＴＴＧＣＴＧＴＴＣＣＴＣ−３’（配列番号６）のプライマーを用いた。それぞれの系における導入遺伝子のコピー数は、制限酵素ＳａｃｌＩを用いたサザンブロットにより輝度を解析することで算定した。ＣＡＧリピート数の決定にあたっては、テキサスレッド標識プライマーで増幅したＰＣＲ産物を、６％ポリアクリルアミドゲルで電気泳動し、５５００ＤＮＡシークエンサー（日立、日本）で解析した。
（神経学的行動解析）
マウスのｒｏｔａｒｏｄ  ｔａｓｋにはＥｃｏｎｏｍｅｘ  Ｒｏｔａｒｏｄ（Ｃｏｌｏｍｂｕｓ  Ｉｎｓｔｒｕｍｅｎｔｓ、アメリカ）を用い、毎週１２時間ごとの明暗サイクルの明時に、以前の報告と同様に行った（Ａｄａｃｈｉ  ｅｔ  ａｌ．，２００１）。試行は３回行い、各々のマウスが回転バーにもっとも長く乗ることのできた時間を記録した。マウスがバーから落下した時ないし１８０秒に達した時にタイマーを停止し、その時間を記録した。
マウスの１日の行動量であるｃａｇｅ  ａｃｔｉｖｉｔｙは、マウスを透明なケージ（１６ｘ３０ｘ１４ｃｍ）に入れ、ＡＢ  ｓｙｓｔｅｍ（ニューロサイエンス、日本）を用い、赤外線センサーを使って測定した。測定は１０分間隔で２４時間行った。
（ホルモン介入試験とテストステロン測定）
雄ＡＲ−９７Ｑマウスと正常雄マウスの去勢およびｓｈａｍ  ｏｐｅｒａｔｉｏｎは、４週齢のマウスに対し、ケタミン−キシラジン麻酔下（５０ｍｇ／ｋｇケタミンおよび１０ｍｇ／ｋｇキシラジンを腹腔内注射）で、経腹腔的アプローチで行った。雌ＡＲ−９７Ｑマウスと雌正常マウスには、２０μｇのエナン酸テストステロンを、２０μｌのｓｅｓａｍｅ  ｏｉｌに溶解し皮下注射した。投与は４週齢から開始し、解析終了まで毎週施行した。対照群には、同量のｓｅｓａｍｅ  ｏｉｌのみを投与した。
血清テストステロン測定には、Ｃｏａｔ−Ａ−Ｃｏｕｎｔ  Ｔｏｔａｌ  Ｔｅｓｔｏｓｔｅｒｏｎｅ  ｒａｄｉｏｉｍｍｕｎｏａｓｓａｙ（Ｄｉａｇｎｏｓｔｉｃ  Ｐｒｏｄｕｃｔｓ  Ｃｏｒｐｏｒａｔｉｏｎ、アメリカ）を用いた。
（ＲＮＡおよび蛋白レベルの発現解析）
ケタミン−キシラジン麻酔下でマウスより臓器を摘出し、ドライアイスアセトンにて凍結した。凍結組織からＴｒｉｚｏｌ（Ｌｉｆｅ  Ｔｅｃｈｎｏｌｏｇｉｅｓ／Ｇｉｂｃｏ  ＢＲＬ、アメリカ）を用いｔｏｔａｌ  ＲＮＡを抽出した。このＲＮＡにＳＵＰＥＲＳＣＲＩＰＴ  ＩＩ逆転写酵素（Ｌｉｆｅ  Ｔｅｃｈｎｏｌｏｇｉｅｓ／Ｇｉｂｃｏ  ＢＲＬ）処理を行った。導入遺伝子に特異的なプライマーである５’−ＴＴＣＣＡＣＡＣＣＣＡＧＴＧＡＡＧＣ−３’（配列番号７）および５’−ＧＧＣＡＴＴＧＧＣＣＡＣＡＣＣＡＡＧＣＣ−３’（配列番号８）を用いてＲＴ−ＰＣＲを行い、アガロースゲル電気泳動を行った。バンドの輝度を、別の反応系で増幅したβアクチンのｍＲＮＡレベルと比較した。
蛋白の抽出にあたっては、凍結組織（湿重量０．１ｇ）を１０００μｌの５０ｍＭ  Ｔｒｉｓ  ｐＨ８．０、１５０ｍＭ  ＮａＣｌ、１％  ＮＰ−４０、０．５％  ｄｅｏｘｙｃｈｏｌａｔｅ、０．１％  ＳＤＳおよび１ｍＭ  ２−ｍｅｒｃａｐｔｏｅｔｈａｎｏｌの溶液で１ｍＭ  ＰＭＳＦとａｐｒｏｔｉｎｉｎｅ  ６μｇ／ｍｌとともにｈｏｍｏｇｅｎａｔｅし、４℃で２５００ｇ、１５分間遠心した。神経組織では２００μｇ、筋は８０μｇのサンプルを、５−２０％  ＳＤＳ−ＰＡＧＥゲルで泳動し、２５ｍＭ  Ｔｒｉｓ、１９２ｍＭ  ｇｌｙｃｉｎｅ、０．１％  ＳＤＳおよび１０％  ｍｅｔｈａｎｏｌ溶液で、Ｈｙｂｏｎｄ−Ｐ（Ａｍｅｒｓｈａｍ  Ｐｈａｒｍａｃｉａ  Ｂｉｏｔｅｃｈイギリス）にｔｒａｎｓｆｅｒした。１次抗体であるラビット抗ＡＲ抗体Ｎ−２０（１：１０００）（Ｓａｎｔａ  Ｃｒｕｚ  Ｂｉｏｔｅｃｈｎｏｌｏｇｙ、アメリカ）に反応させ、２次光体に反応させた後、ＥＣＬ＋ｐｌｕｓ  ｋｉｔ（Ａｍｅｒｓｈａｍ  Ｐｈａｒｍａｃｉａ  Ｂｉｏｔｅｃｈ）にて発色、現像した。核および細胞質分画はＮＥ−ＰＥＲ  ｎｕｃｌｅａｒ  ａｎｄ  ｃｙｔｏｐｌａｓｍｉｃ  ｅｘｔｒａｃｔｉｏｎ  ｒｅａｇｅｎｔｓ（Ｐｉｅｒｃｅアリカ）を用い分離、抽出した。
（免疫組織化学）
ケタミン−キシラジン麻酔下のマウス左心室から、２０ｍｌの４％  ｐａｒａｆｏｒｍａｌｄｅｈｙｄｅ−リン酸バッファー（ｐＨ７．４）を環流し、摘出した臓器を１０％ホルマリン−リン酸バッファーで固定し、その後パラフィン包埋した。４−μｍ厚の切片を切り出し、脱パラフィン処理し、アルコールにて脱水後、ギ酸にて室温５分間処理した。１次抗体は１Ｃ２（１：１００００）（Ｃｈｅｍｉｃｏｎ、アメリカ）を用い、以前の報告（Ａｄａｃｈｉ  ｅｔ  ａｌ．，２００１）と同様に染色した。即ちギ酸にて処理後、５％ウマ血清を室温にて３０分間反応させ、１次抗体１Ｃ２（１：１００００）（Ｃｈｅｍｉｃｏｎ、アメリカ）を４℃、オーバーナイトで反応させたのち、ＡＢＣ法にて免疫染色を行った。ＡＢＣ法による染色はビオチン化２次抗体（Ｖｅｃｔｏｒ  Ｌａｂｏｒａｔｏｒｉｅｓ、アメリカ）を４℃、オーバーナイトで反応させ、０．０２Ｍ  ＰＢＳで洗浄後、ＨＲＰ標識ストレプトアビジンで反応させ、ＤＡＢを用いて発色した。
電子顕微鏡標本もパラフィン固定のものを使用し、１Ｃ２（１：１００００）（Ｃｈｅｍｉｃｏｎ）で同様に（Ａｄａｃｈｉ  ｅｔ  ａｌ．，２００１）染色した。
（筋病理および脊髄前角細胞と前根の形態解析）
マウス腓腹筋の６μｍ厚凍結切片を作製し、ヘマトキシリン・エオジン（Ｈ＆Ｅ）染色を行った。脊髄運動ニューロンの数および形態の解析には、各々の群のマウス３匹ずつから、５μｍ厚の連続２０切片を第５腰髄（＃７−８、１３週齢）から切り出した。１つおきの切片をＮｉｓｓｌ染色し、前角にある核小体の明瞭なニューロンを、Ｌｕｚｅｘ  ＦＳ  ｉｍａｇｅ  ａｎａｌｙｚｅｒ（Ｎｉｒｅｃｏ、日本）を用い、以前の報告（Ｔｅｒａｏ  ｅｔ  ａｌ．，１９９６）の通り解析した。即ち、計１０切片における全ニューロンの断面積を測定した。前根有髄線維の直径はトルイジンブルー染色標本を用い、以前の報告（Ｔｅｒａｏ  ｅｔ  ａｌ．，１９９６）の通り解析した。即ち、各線維の断面積を測定し、それと同じ面積の円の直径を計算した。
（統計解析）
統計処理にはｕｎｐａｉｒｅｄ  ｔ−ｔｅｓｔを用い、ｐ値０．０５未満を有意とした。
＜実施例１＞  ９７ＣＡＧリピートを有するＡＲ遺伝子を発現する遺伝子導入マウス（Ｔｇマウス）の作製、及び得られたＴｇマウスの症状等の検討
サイトメガロウイルスエンハンサーおよびチキンβ−アクチンプロモーターの調節下に、繰返し数が２４又は９７のＣＡＧリピート（２４ＣＡＧリピート、９７ＣＡＧリピート）を有するヒトアンドロゲン受容体（ＡＲ）を発現するＴｇマウスの作製を試み（図１Ａ）、２４ＣＡＧリピートを使用したマウス（ＡＲ−２４Ｑ）３系統と、９７ＣＡＧリピートを使用したマウス（ＡＲ−９７Ｑ）５系統とを得た。導入遺伝子のコピー数はＡＲ−２４Ｑでは１〜５、ＡＲ−９７Ｑでは１〜３であった（図８）。導入したヒトＡＲ遺伝子におけるＣＡＧの繰り返し数は、ＰＣＲおよびポリアクリルアミドゲル電気泳動により確認した。世代間のＣＡＧ繰り返し数の変動は明らかでなかった。ＡＲ−２４Ｑのマウスはいずれも無症状であったが、ＡＲ−９７Ｑの５系統の内３系統では（＃２−６、＃４−６、＃７−８）、進行性の運動障害が認められた。運動障害がみられた３系統のマウスはいずれも体格の縮小、寿命短縮、進行性筋萎縮、筋力低下および活動低下を示した。これらすべての症状は雄のＡＲ−９７Ｑマウスにおいて重篤かつ急速に進行したが、雌では症状が認められないか、あっても雄より遥かに軽症であった（図１Ｂ、Ｃ、Ｄ、Ｅ）。初発症状は体幹および後脚の筋萎縮であり、それに続いて体重減少やｒｏｔａｒｏｄによる運動機能低下が明らかとなった。ｒｏｔａｒｏｄにおける運動障害が発症するのは雄では８から９週齢であったが、雌では１５週齢ないしそれ以降であった（図８）。運動障害のあるマウスは活動性が低下し、後脚を引きずって歩行した。前脚の障害は後脚の萎縮が高度となった後に認められた。雄では雌にくらべ運動機能は急速かつより早期に障害され、寿命もより短縮していた。ＡＲ−９７Ｑの全３系統のマウスにおいて、寿命の中央値は雄では６６から１３５日齢であったが、雌では２１０日齢においても１０から３０％程度のマウスが死亡したにすぎなかった。死因は低栄養および脱水による悪液質と考えられた。
次に、ウエスタンブロットによるタンパク質の検出、及びＲＴ−ＰＣＲ法を用いたｍＲＮＡの検出によって導入遺伝子の発現を調べた。その結果、ウエスタンブロットでは、変異ＡＲの高発現が認められ、変異ＡＲのモノマーのバンドに加え、スタッキングゲルに留まるものと切断された変異ＡＲの断片も認められた。これらの変異蛋白は脊髄、脳、心、筋および膵などに認められた。スタッキングゲルに留まる変異蛋白の発現は雄で大量に認められたが、雌ではこれは少なく、むしろＡＲのモノマーが多く認められた（図１Ｆ）。ＡＲ−２４Ｑマウスでは変異ＡＲのモノマーのバンドは認められたがスタッキングゲルに留まる変異蛋白は認められなかった（図１Ｆ）。スタッキングゲルに留まる変異ＡＲの殆どは核分画に存在していた（図１Ｇ）。雄雌における導入遺伝子ｍＲＮＡレベルでの発現の差は明らかでなかった。これらの結果より明らかとなったことは、導入遺伝子の発現は主にスタッキングゲルに留まる変異ＡＲ蛋白という形で認められ、この変異蛋白の核内局在は雄において雌より著明であることである。導入遺伝子の発現はｍＲＮＡレベルでは性差が認められなかった。
一方、免疫組織化学、並びに筋病理及び脊髄前角細胞と前根の形態解析による組織学検討を各Ｔｇマウスに対して行った。その結果、ＡＲ−２４Ｑマウスでは病理所見は認められなかった。一方、ＡＲ−９７Ｑマウスにおいては、異常延長したポリグルタミンに対する特異的抗体（１Ｃ２）（Ｔｒｏｔｔｉｅｒ，ｅｔ  ａｌ．，１９９５）による免疫染色で、核のびまん性染色や核内封入体が脊髄、大脳、小脳、脳幹や後根神経節の神経細胞および心や筋、膵などの非神経組織に認められた（図９）。神経組織では運動ニューロンの核に最も著明な核のびまん性染色や核内封入体が認められた。後根神経節以外ではグリア細胞にも顕著な染色が認められた。１Ｃ２により核のびまん性染色や核内封入体を示した細胞の核は、ＡＲに対する抗体（Ｎ−２０）でも染色された。細胞質は１Ｃ２とＮ−２０のいずれによっても染色されることはなかった。核のびまん性染色や核内封入体は４週齢から認められ、加齢とともに増加したが、雄では雌より高頻度に認められ、症状やウエスタンブロットの性差に一致する結果が得られた（図９、図２Ａ）。電子顕微鏡による１Ｃ２の免疫染色では核内封入体に対応する顆粒状凝集体と、びまん性染色に対応する微細凝集体とが観察された（図２Ｂ、Ｃ、Ｄ、Ｅ）。
筋病理では、雄ＡＲ−９７Ｑマウスにおいて著明な群集萎縮と小角化繊維といった神経原性変化が認められ、筋繊維の大小不同軽度などの軽度の筋原性変化も認められた（図２Ｆ）。第５腰髄レベルの脊髄運動ニューロンの数は正常マウスでは１０切片あたり５４３±２８、ＡＲ−９７Ｑマウスでは４５２±１０であり、正常マウスに比べＡＲ−９７Ｑマウスにおいて減少している傾向がみられたが、有意差は認められなかった（ｐ＝０．１０）。しかし、個々の脊髄運動ニューロンの断面積は雄のＡＲ−９７Ｑマウスにおいて著明に減少していた（正常マウスでは１９５．６±１２．１μｍ２、ＡＲ−９７Ｑマウスでは１３０．６±４．０μｍ２、ｐ＝０．００６）。さらに、第５腰髄脊髄前根の大径繊維（＞６．０μｍ）の軸索径は雄ＡＲ−９７Ｑマウスにおいて有意に縮小していた。すなわち、大径繊維径は、正常マウスでは１０．２９±１．０８μｍ、ＡＲ−９７Ｑマウスでは８．４９±０．２７μｍ（ｐ＝０．０５）、小径線維径は正常マウスでは２．８６±０．１１μｍ、ＡＲ−９７Ｑマウスでは３．１１±０．２３μｍ（ｐ＝０．１６）であった。雌マウスで神経原性変化は認められなかった。著明な核内封入体にも関わらず、大脳、小脳および後根神経節における神経細胞脱落は明らかでなかった。
＜実施例２＞  雄ＡＲ−９７Ｑマウスの去勢による治療
症状や病理所見の性差が、男性ホルモンであるテストステロン分泌の性差によるものと仮説をたて、まず雄のＡＲ−９７Ｑマウスに去勢を施行した。去勢された雄ＡＲ−９７Ｑマウスでは症状、病理所見および変異蛋白の核内局在について、対照群（ｓｈａｍ  ｏｐｅｒａｔｉｏｎ群）に比べ劇的な改善が認められた。すなわち、対照群では著しい体重減少を認めたが、去勢されたＡＲ−９７Ｑマウスの体重は去勢された正常マウスと同等で、体重減少はほとんど認められなかった（図３Ａ）。ｒｏｔａｒｏｄやｃａｇｅ  ａｃｔｉｖｉｔｙによる運動機能評価では、去勢マウスにおける運動機能低下は対照群に比べはるかに軽度であり、運動機能障害は去勢マウスではほとんどみられなかった（図３Ｂ、Ｃ）。去勢マウスにおける運動機能は雌のＴｇマウスとほぼ同様であった。去勢マウスでは寿命も著しく延長し（図３Ｄ）、筋萎縮やそれに伴う体格の縮小も著明に改善した（図３Ｅ）。マウスの足跡を観察し歩行機能を評価したところ、対照群は後脚をひきずって歩くのに対し、去勢マウスでは正常な歩行がみられた（図３Ｆ）。Ｎ−２０によるウエスタンブロットでは、スタッキングゲルに留まる変異ＡＲ蛋白は、対照群に比べ去勢マウスにおいて著明に減少し（図４Ａ）、核分画における変異ＡＲもまた、去勢マウスにおいて著明に減少した（図４Ｂ）。１Ｃ２免疫染色における核のびまん性染色や核内封入体は、去勢により劇的に改善した（図４Ｃ）。これらの結果は、去勢により変異ＡＲの核内移行を抑制したことを意味する。血清テストステロン値は去勢マウスでは測定感度以下であったが、対照群では２７．７±１．２ｎｇ／ｄｌ（＃７−８，ｎ＝４）であり、去勢によりテストステロンが著明に低下することが示された。
去勢は雄ＡＲ−９７Ｑマウスの表現型、すなわち症状や病理所見を著しく改善した。ウエスタンブロットや１Ｃ２免疫染色では、核内に局在する変異ＡＲが去勢によって劇的に減少した。血清テストステロン濃度は去勢により減少することが確認された。ＡＲの核内移行が主にテストステロンのみに依存している（Ｓｔｅｎｏｉｅｎ  ｅｔ  ａｌ．，１９９９，Ｓｉｍｅｏｎｉ  ｅｔ  ａｌ．，２０００）ことを考えると、雄において去勢が治療効果を示すのは、変異ＡＲの核内移行を抑えるためと考えられる。異常延長したポリグルタミンを有する変異蛋白の核内移行は、大多数のポリグルタミン病において神経機能障害や変性に関わる重要な因子とされている。一例として、核外移行シグナルを変異ハンチンチンに付加すると、凝集体形成や細胞死が抑制されることが、ハンチントン病のモデルにおいて確かめられている（Ｓａｕｄｏｕ  ｅｔ  ａｌ．，１９９８，Ｐｅｔｅｒｓ  ｅｔ  ａｌ．，１９９９）。また、核内移行シグナルを用いると全く逆の効果が得られることも報告されている（Ｐｅｔｅｒｓ  ｅｔ  ａｌ．，１９９９）。脊髄小脳変性症１型（ＳＣＡ１）のＴｇマウスにおいて、導入遺伝子の核内移行シグナルに変異を加えると、原因蛋白であるａｔａｘｉｎ−１は細胞質に分布し、マウスは神経障害を示さなくなる（Ｋｌｅｍｅｎｔ  ｅｔ  ａｌ．，１９９８）。こうした報告を考慮すると、テストステロンを減少させることで変異ＡＲの核内移行は抑制することが、ＳＢＭＡの症状改善に繋がると考えられる。こうした内分泌学的介入はヒトの治療に十分応用可能と考えられる。
去勢された雄ＡＲ−９７Ｑマウスは雌ＡＲ−９７Ｑマウスと同等の表現型を示した。これは、ＳＢＭＡ患者においても、テストステロンを低下させることで女性保因者と同等のレベルまで改善させうることを意味する。ＳＢＭＡ女性保因者のうち半数は軽度の筋電図異常を呈するものの、臨床症状が明らかとなる例はほとんどない（Ｓｏｂｕｅ  ｅｔ  ａｌ．，１９９３，Ｍａｒｉｏｔｔｉ  ｅｔ  ａｌ．，２０００）。Ｘ染色体の不活化による変異ＡＲ発現の低下が、女性保因者の症状回避に関与していることは想像に難くないが、以上の実験結果からは、低テストステロン濃度による変異ＡＲの核内移行抑制が、女性保因者において症状が出現しにくいことと密接に関係していることが示唆される。
＜実施例３＞  雄ＡＲ−９７Ｑマウスに対するリュープロレリン（Ｌｅｕｐｒｏｒｅｌｉｎ）投与
次に、テストステロン分泌抑制による本マウスの治療を薬剤で再現する目的で、ＬＨＲＨアナログであるＬｅｕｐｒｏｒｅｌｉｎを雄ＡＲ−９７Ｑマウスに投与する実験を行った。Ｌｅｕｐｒｏｒｅｌｉｎの投与は次のように行った。Ｌｅｕｐｒｏｒｅｌｉｎ  ａｃｅｔａｔｅ  １００μｇをＤ−マンニトールを含む溶液に懸濁し、２週間ごとに皮下注射した。投与は５週齢から開始し、解析終了まで行った。対照群には懸濁液のみを投与した。Ｌｅｕｐｒｏｒｅｌｉｎを投与した雄ＡＲ−９７Ｑマウスでは、去勢マウスと同様に、症状の著明な改善が認められた。すなわち、ｒｏｔａｒｏｄやｃａｇｅ  ａｃｔｉｖｉｔｙによる運動機能評価では、Ｌｅｕｐｒｏｒｅｌｉｎ投与群における運動機能低下は対照群に比べはるかに軽度であり、運動機能障害はＬｅｕｐｒｏｒｅｌｉｎ投与群ではほとんどみられなかった（図５Ａ、Ｂ、Ｃ、Ｄ）。Ｌｅｕｐｒｏｒｅｌｉｎ投与群では体格の縮小も著しく改善し（図５Ｅ）、歩行障害も改善した（図５Ｆ）。Ｌｅｕｐｒｏｒｅｌｉｎ投与群の血清テストステロン値は測定感度以下であった（＃４−６，ｎ＝４）。
Ｌｅｕｐｒｏｒｅｌｉｎは、ＬＨＲＨアナログであり、持続的に下垂体を刺激することで、下垂体のＬＨＲＨ受容体を減少（ｄｏｗｎｒｅｇｕｌａｔｉｏｎ）させ、下垂体からのＬＨやＦＳＨの分泌を抑制し、それによりテストステロン分泌を抑制する薬剤である。そのテストステロン分泌抑制効果は去勢と同等とされており（Ｔｈｅ  Ｌｅｕｐｒｏｒｉｄｅ  Ｓｔｕｄｙ  Ｇｒｏｕｐ  １９８４）、侵襲の高い去勢術に代わって前立腺癌のホルモン治療の代表的薬剤となっている。さらに、長期効果が確認されているのみならず、中止によるテストステロン分泌の回復も確認されており（Ｈａｌｌ  ｅｔ  ａｌ，，１９９９）、倫理的見地からも臨床応用に適した薬剤といえる。ＳＢＭＡ患者の治療にあたっても、侵襲が高く不可逆性の去勢よりは、ＬＨＲＨアナログの投与がより実際的と考えられる。ＡＲ−９７Ｑマウスにおいても、Ｌｅｕｐｒｏｒｅｌｉｎのテストステロン分泌抑制効果は明らかであり、かつ、ポリグルタミンによる神経障害にたいしても治療効果が認められた。すなわち、ＬＨＲＨアナログはＳＢＭＡの治療として最も期待される薬剤と考えられる。
＜実施例４＞  雌ＡＲ−９７Ｑマウスに対するテストステロン投与
次に雄ＡＲ−９７Ｑマウスにおける去勢の治療的効果が、テストステロンの分泌抑制であることを明らかにするため、元来症状の乏しい雌ＡＲ−９７Ｑマウスにテストステロンを投与する実験を行った。テストステロンを投与した雌ＡＲ−９７Ｑマウスでは症状、病理所見および変異蛋白の核内局在が、対照群（ｓｅｓａｍｅ  ｏｉｌ投与群）に比べ劇的に悪化した。すなわち、対照群では体重減少はほとんど認めなかったが、テストステロン投与群の体重は著明に減少した（図６Ａ）。ｒｏｔａｒｏｄやｃａｇｅ  ａｃｔｉｖｉｔｙによる運動機能評価では、テストステロン投与群における運動機能低下は対照群に比べ著しく高度であった（図６Ｂ、Ｃ）。テストステロン投与群における運動機能は雄のＡＲ−９７Ｑマウスとほぼ同様であった。テストステロン投与群では寿命も著しく短縮し（図６Ｄ）、筋萎縮やそれに伴う体格の縮小も著明に増悪した（図６Ｅ）。足跡の観察では、対照群はほぼ正常であるのに対し、テストステロン投与群では後脚をひきずる歩行障害が明らかであった（図６Ｆ）。Ｎ−２０によるウエスタンブロットでは、スタッキングゲルに留まる変異ＡＲ蛋白は、対照群に比べテストステロン投与群において著明に増加し（図７Ａ）、核分画における変異ＡＲもまた同様であった（図７Ｂ）。対照群ではほとんど認められなかった核のびまん性染色や核内封入体は、テストステロン投与により著明に増加した（図７Ｃ）。これらの結果は、テストステロン投与により変異ＡＲの核内移行が促進したことを意味する。血清テストステロン値は対照群では測定感度以下であったが、テストステロン投与群では１５８．０±７０．７ｎｇ／ｄｌ（＃２−６，ｎ＝３）ないし３０５．３±１８２．３ｎｇ／ｄｌ（＃７−８，ｎ＝４）であった。
以上の結果によって明らかなように、軽微であった雌ＡＲ−９７Ｑの症状はテストステロン投与により著明に増悪した。ウエスタンブロットや１Ｃ２免疫染色では、核内に局在する変異ＡＲがテストステロン投与によって著明に増加した。血清テストステロン濃度はテストステロン投与により増加することが確認された。ＡＲの核内移行が主にテストステロンのみに依存している（Ｓｔｅｎｏｉｅｎ  ｅｔ  ａｌ．，１９９９，Ｓｉｍｅｏｎｉ  ｅｔ  ａｌ．，２０００）ことを考えると、テストステロンが雌ＡＲ−９７Ｑマウスにおいて毒性を示すのは、変異ＡＲの核内移行を促進するためと考えられる。
以上の各実施例によって示されたように、９７ＣＡＧリピートを有するヒトＡＲ遺伝子が導入されたＴｇマウスは、進行性の運動障害と神経病理所見を呈し、これらの所見はヒトＳＢＭＡのそれと同等であった。ウエスタンブロットでは、切断された変異ＡＲの断片も認められたが、他の研究で変異蛋白の切断（ｔｒｕｎｃａｔｉｏｎ）がＳＢＭＡをはじめとするポリグルタミン病の病態生理において重要な役割を果たしていることが報告されており（Ｌｉ  ｅｔ  ａｌ．，１９９８ｂ，Ｋｏｂａｙａｓｈｉ  ｅｔ  ａｌ．，１９９８，Ｗｅｌｌｉｎｇｔｏｎ  ｅｔ  ａｌ．，１９９８，Ｍｅｎｄｅ−Ｍｕｅｌｌｅｒ  ｅｔ  ａｌ．２００１）、本マウスにおいてもこうした変異ＡＲのｔｒｕｎｃａｔｉｏｎが病態に関わっていることが予想される。１Ｃ２免疫染色の電子顕微鏡による観察では、顆粒状凝集体と微細凝集体とがみられ、脊髄運動ニューロンにおいて種々の段階の病理変化が観察された。電子顕微鏡下の顆粒状凝集はヒトＳＢＭＡにおいても認められる重要な所見である（Ｌｉ  ｅｔ  ａｌ．，１９９８ｂ）。本実施例におけるＡＲ−９７Ｑマウスでは、神経原性変化は筋病理において明らかであり、神経細胞脱落は明らかでないものの脊髄運動ニューロンやその軸索は著明な萎縮を呈した。こうした所見が示唆するものは、脊髄運動ニューロンの変性というよりはむしろ神経機能障害こそがＡＲ−９７Ｑマウスにおける主たる病理所見であるということである。こうした病態は他のポリグルタミン病のマウスモデルにおいても数多く報告されている（Ｚｏｇｈｂｉ  ａｎｄ  Ｏｒｒ，２０００，Ｒｕｂｉｎｓｚｔｅｉｎ，２００２）。ＡＲ−９７Ｑマウスにおける症状は少なくとも２１週齢までには出現しているが、ＡＲ−２４Ｑマウスでは変異ＡＲの高発現がみられるにも関わらず、この時点でも全く症状が出現しなかった。また、核のびまん性染色や核内封入体はＡＲ−９７Ｑマウスでは性差は著しいものの４週齢から認められるのに対し、ＡＲ−２４Ｑマウスでは１２週齢になっても認めなかった。こうした所見は、ＡＲ−９７Ｑマウスにおける症状や病理所見が、ヒトＡＲの過剰発現によるものではなく、ポリグルタミン鎖の発現によるものであることを示している。さらに、これまで発表された全長ヒトＡＲを導入したＳＢＭＡのＴｇでは、発現レベルは十分であるにも関わらず症状がみられなかった。これは、ＣＡＧ繰り返し数が、症状を出現させるには十分でなかったためと考えられている（Ｂｉｎｇｈａｍ  ｅｔ  ａｌ，１９９５，Ｌａ  Ｓｐａｄａ  ｅｔ  ａｌ．，１９９８）。つまり、ＡＲ−９７ＱマウスはＳＢＭＡの病態を忠実に再現しており、ＳＢＭＡのみならずポリグルタミン病の動物モデルとして極めて優れたものと考えらる。
一方、ＡＲ−９７Ｑマウスの症状、病理所見および変異ＡＲの核内局在には著しい性差があり、去勢やＬｅｕｐｒｏｒｅｌｉｎ投与、テストステロン投与といった内分泌学的介入により著明に修飾された。ＡＲの転写はアンドロゲンにより促進（ｕｐｒｅｇｕｌａｔｅ）されることが知られているが（Ｓｙｍｓ  ｅｔ  ａｌ  １９８５，Ｋｅｍｐｐａｉｎｅｎ  ｅｔ  ａｌ  １９９２，Ｚｈｏｕ  ｅｔ  ａｌ  １９９５）、ＡＲ−９７ＱマウスではＲＴ−ＰＣＲによる解析では導入遺伝子のｍＲＮＡレベルの発現に性差は認められなかった。これは、導入した変異ＡＲが、内在性のプロモーターでなくチキンβアクチンプロモーターの調節を受けていることが原因と考えられる。すなわち、テストステロン濃度が症状や病理所見の性差に深く関与しているのは、ＡＲの転写を変化させているのではなく、転写後の段階、すなわち蛋白レベルでＡＲを修飾することが機序として考えられる。
ＳＢＭＡと異なり他のポリグルタミン病では原因蛋白の特異的リガンドは発見されていないが、上記の実施例におけるＴｇマウスの去勢による劇的な治療効果は、変異蛋白の核内移行を抑制することでポリグルタミン病が治療され得ることを示唆している。
この発明は、上記発明の実施の形態及び実施例の説明に何ら限定されるものではない。特許請求の範囲の記載を逸脱せず、当業者が容易に想到できる範囲で種々の変形態様もこの発明に含まれる。
本明細書における引用文献を以下に列挙する。
2004016083.tif 000003
2004016083.tif 000004
2004016083.tif 000005
2004016083.tif 000006
2004016083.tif 000007
2004016083.tif 000008
2004016083.tif 000009
2004016083.tif 000010
2004016083.tif 000011
2004016083.tif 000012
2004016083.tif 000013
以下、次の事項を開示する。
１１．症状又は病理所見についての以下の（１）〜（９）の特徴を備える非ヒト動物、
（１）進行性筋萎縮が認められる、
（２）筋力低下が認められる、
（３）抗ポリグルタミン抗体を用いた免疫染色によって核のびまん性染色及び核内封入体が認められる、
（４）抗アンドロゲン受容体抗体を用いた免疫染色によって核のびまん性染色及び核内封入体が認められる、
（５）神経原性変化が認められる、
（６）進行性運動障害が認められる、
（７）体格の縮小が認められる、
（８）寿命短縮が認められる、及び
（９）活動低下が認められる。
１２．約８〜９周齢で運動障害が発症する、１１．に記載の非ヒト動物。
１３．雌である場合は前記（１）〜（９）が認められないか、又は雄である場合に比較して軽症ないし軽度である、１１．又は１２．記載の非ヒト動物。
１４．前記非ヒト動物が齧歯目動物である、ことを特徴とする１１．〜１３．ずれか記載の非ヒト動物。
１５．前記非ヒト動物がマウスである、ことを特徴とする１１．〜１３．いずれか記載の非ヒト動物。
２１．以下のステップ（ｉ）を含む、球脊髄性筋萎縮症の治療方法、
（ｉ）テストステロンの分泌を抑制する作用を有する化合物を有効成分として含む薬剤を生体に投与するステップ。
２２．前記化合物が、下垂体からの性腺刺激ホルモンの分泌を抑制する作用を有する、２１．に記載の治療方法。
２３．前記化合物が、下垂体に作用して黄体形成ホルモン放出ホルモン受容体を減少させる作用を有する、２１．に記載の治療方法。
２４．前記化合物が黄体形成ホルモン放出ホルモンのアナログである、２１．に記載の治療方法。
２５．前記化合物がリュープロレリン又はその誘導体である、２１．に記載の治療方法。
３１．球脊髄性筋萎縮症治療剤を製造するための、テストステロンの分泌を抑制する作用を有する化合物の使用。
３２．球脊髄性筋萎縮症治療剤を製造するための、下垂体からの性腺刺激ホルモンの分泌を抑制する作用を有する化合物の使用。
３３．球脊髄性筋萎縮症治療剤を製造するための、下垂体に作用して黄体形成ホルモン放出ホルモン受容体を減少させる作用を有する化合物の使用。
３４．球脊髄性筋萎縮症治療剤を製造するための、黄体形成ホルモン放出ホルモンのアナログの使用。
３５．球脊髄性筋萎縮症治療剤を製造するための、リュープロレリン又はその誘導体の使用。
【産業上の利用の可能性】
本発明の非ヒト動物は球脊髄性筋萎縮症（ＳＢＭＡ）の病態を忠実に再現しており、ＳＢＭＡのモデルとして治療薬の開発、ＳＢＭＡの発症メカニズムの解明などに利用することができる。また、本発明の非ヒト動物はポリグルタミン病に共通する病態を呈することから、ＳＢＭＡのみならず広くポリグルタミンの治療薬の開発などにも利用され得る。
一方、本発明の治療薬は球脊髄性筋萎縮症の発症メカニズムに基づいて構成されたものであり、かつ球脊髄性筋萎縮症の病態を忠実に再現するモデル動物においてその効果が実証されたものであるから、球脊髄性筋萎縮症の治療薬として極めて有効であると考えられる。
【配列表】
2004016083.tif 000014
2004016083.tif 000015
2004016083.tif 000016
2004016083.tif 000017
2004016083.tif 000018
2004016083.tif 000019
2004016083.tif 000020
2004016083.tif 000021
2004016083.tif 000022
2004016083.tif 000023
【図１】
2004016083.tif 000024
【図２】
2004016083.tif 000025
【図３】
2004016083.tif 000026
【図４】
2004016083.tif 000027
【図５】
2004016083.tif 000028
【図６】
2004016083.tif 000029
【図７】
2004016083.tif 000030
【図８】
2004016083.tif 000031
【図９】
2004016083.tif 000032
【手続補正書】
【提出日】平成17年6月20日(2005.6.20)
【手続補正１】
【補正対象書類名】特許請求の範囲
【補正対象項目名】全文
【補正方法】変更
【補正の内容】
【特許請求の範囲】
【請求項１】
症状又は病理所見についての以下の(1)〜(5)の特徴を備える非ヒト動物、
(1)進行性筋萎縮が認められる、
(2)筋力低下が認められる、
(3)抗ポリグルタミン抗体を用いた免疫染色によって核のびまん性染色及び核内封入体が認められる、
(4)抗アンドロゲン受容体抗体を用いた免疫染色によって核のびまん性染色及び核内封入体が認められる、及び
(5)神経原性変化が認められる。
【請求項２】
雌である場合は前記(1)〜(5)が認められないか、又は雄である場合に比較して軽症ないし軽度である、請求項１に記載の非ヒト動物。
【請求項３】
前記非ヒト動物が齧歯目動物である、ことを特徴とする請求項１又は２に記載の非ヒト動物。
【請求項４】
前記非ヒト動物がマウスである、ことを特徴とする請求項１又は２に記載の非ヒト動物。
【請求項５】
以下の工程(a)及び(b)を含む、ポリグルタミン病治療剤のスクリーニング方法、
(a)請求項１〜４のいずれかに記載の非ヒト動物に被験物質を投与する工程、
(b)投与後の前記非ヒト動物において、次の(1)〜(9)の少なくとも一つについて改善されるか否かを調べる工程、
(1)進行性筋萎縮、
(2)筋力低下、
(3)抗ポリグルタミン抗体を用いた免疫染色によって認められる核のびまん性染色及び核内封入体の量、
(4)抗アンドロゲン受容体抗体を用いた免疫染色によって認められる核のびまん性染色及び核内封入体の量、
(5)神経原性変化、
(6)進行性運動障害、
(7)体格の縮小、
(8)寿命短縮、及び
(9)活動低下。
【請求項６】
以下の工程(A)及び(B)を含む、ポリグルタミン病治療剤のスクリーニング方法、
(A)請求項１〜４のいずれかに記載の非ヒト動物及びその野生型にそれぞれ被験物質を投与する工程、
(B)投与後の前記非ヒト動物と前記野生型との間で、次の(1)〜(9)の少なくとも一つについての程度を比較評価する工程、
(1)進行性筋萎縮、
(2)筋力低下、
(3)抗ポリグルタミン抗体を用いた免疫染色によって認められる核のびまん性染色及び核内封入体の量、
(4)抗アンドロゲン受容体抗体を用いた免疫染色によって認められる核のびまん性染色及び核内封入体の量、
(5)神経原性変化、
(6)進行性運動障害、
(7)体格の縮小、
(8)寿命短縮、及び
(9)活動低下。
【請求項７】
前記被験物質が、テストステロンの分泌を抑制する作用を有する化合物の中から選択される、請求項５又は６に記載のスクリーニング方法。
【請求項８】
テストステロンの分泌を抑制する作用を有する化合物を有効成分として含んでなる球脊髄性筋萎縮症治療剤。
【請求項９】
下垂体からの性腺刺激ホルモンの分泌を抑制する作用を有する化合物を有効成分として含んでなる球脊髄性筋萎縮症治療剤。
【請求項１０】
下垂体に作用して黄体形成ホルモン放出ホルモン受容体を減少させる作用を有する化合物を有効成分として含んでなる球脊髄性筋萎縮症治療剤。
【請求項１１】
黄体形成ホルモン放出ホルモンのアナログを有効成分として含んでなる球脊髄性筋萎縮症治療剤。
【請求項１２】
リュープロレリン又はその誘導体を有効成分として含んでなる球脊髄性筋萎縮症治療剤。
【国際調査報告】
2004016083.tif 000033
2004016083.tif 000034
2004016083.tif 000035
2004016083.tif 000036
2004016083.tif 000037
2004016083.tif 000038
2004016083.tif 000039
2004016083.tif 000040